(57)【特許請求の範囲】
【請求項１】
通信用の信号が伝送される複数の電線と、各前記電線に接続される複数の端子と、前記複数の端子を収容するハウジングと、前記複数の電線における隣り合う前記電線間の間隔を空けて並べて保持する電線保持部材と、を備え、
前記複数の電線は、複数の第１通信用電線と、前記第１通信用電線よりも転送速度の低い第２通信用電線と、電源に接続された電源線と、を備え、
前記複数の第１通信用電線及び前記電源線を有する第１電線列と、前記複数の第１通信用電線及び前記第２通信用電線を有する第２電線列とを備え、
前記電線保持部材は、前記第１電線列と前記第２電線列とを並列に並べて保持しており、
前記第１電線列の前記複数の第１通信用電線と、前記第２電線列の前記複数の第１通信用電線とは、互いに遠い側の領域に配置されている通信用コネクタ。
【請求項２】
前記電線保持部材は、前記各電線を挟んで保持する複数の溝部を備えている請求項１に記載の通信用コネクタ。
【請求項３】
前記ハウジングを覆う本体と前記電線保持部材側に延びる延出部とを有するシールドケースを備え、
前記電線保持部材は、前記延出部に係合して前記シールドケースに対する移動方向を規制する規制部を備えている請求項１又は請求項２に記載の通信用コネクタ。
【請求項４】
通信用の信号が伝送される複数の電線と、各前記電線に接続される複数の端子と、前記複数の端子を収容するハウジングと、前記複数の電線における隣り合う前記電線間の間隔を空けて並べて保持する電線保持部材と、を備え、
前記複数の電線と当該複数の電線の周りに充填される充填部材と前記充填部材を包囲するシールド層とを有するシールド電線を備え、前記電線保持部材は、前記充填部材の端部から露出した前記複数の電線を保持するとともに、前記充填部材の端部に差し込む差込突部を備えている通信用コネクタ。
【請求項５】
前記電線が挿通される電線挿通孔が貫通形成された一対の前記電線保持部材を備え、前記電線保持部材には、前記電線挿通孔の軸方向に対する側方から前記電線を通すことが可能な通し溝が形成されている請求項１から請求項４のいずれか一項に記載の通信用コネクタ。
【請求項６】
前記電線保持部材は、前記第１通信用電線と前記第１通信用電線との間、又は、前記第１通信用電線と前記電源線との間を仕切る仕切り部を備える請求項１から請求項３のいずれか一項に記載の通信用コネクタ。
【請求項７】
前記ハウジングは、各前記端子が収容される複数のキャビティを備え、車両に搭載されるものである請求項１から請求項６のいずれか一項に記載の通信用コネクタ。
【発明の詳細な説明】
【技術分野】
【０００１】
本発明は、通信用コネクタに関する。
【背景技術】
【０００２】
従来、通信用コネクタが知られている。特許文献１には、４つのＵＳＢプラグコネクタを受けることができる電気コネクタが記載されている。この電気コネクタは、ハウジングと、Ｌ字に屈曲された金属からなる電気接点と、外部シールドと、内部シールドとを備えている。電気接点は、各ＵＳＢプラグコネクタごとに左右に複数並んで固定されている。
【先行技術文献】
【特許文献】
【０００３】
【特許文献１】特表２００８−５０７１１０号公報
【発明の概要】
【発明が解決しようとする課題】
【０００４】
ところで、導電体として金属の棒ではなく、電線を用いた場合、電線は、容易に撓むため、複数の電線間の間隔が大きく変わる箇所が生じうる。このように電線間の間隔が大きく変わる箇所は、電線のインピーダンスの変化点となって信号の反射を生じさせ通信品質を低下させることが懸念される。
【０００５】
本発明は上記のような事情に基づいて完成されたものであって、通信品質の低下を抑制することを目的とする。
【発明の効果】
【０００６】
本発明によれば、通信品質の低下を抑制することができる。
【課題を解決するための手段】
【０００７】
本発明の通信用コネクタは、通信用の信号が伝送される複数の電線と、各前記電線に接続される複数の端子と、前記複数の端子を収容するハウジングと、前記複数の電線における隣り合う前記電線間の間隔を空けて並べて保持する電線保持部材と、を備え、前記複数の電線は、複数の第１通信用電線と、前記第１通信用電線よりも転送速度の低い第２通信用電線と、電源に接続された電源線と、を備え、前記複数の第１通信用電線及び前記電源線を有する第１電線列と、前記複数の第１通信用電線及び前記第２通信用電線を有する第２電線列とを備え、前記電線保持部材は、前記第１電線列と前記第２電線列とを並列に並べて保持しており、前記第１電線列の前記複数の第１通信用電線と、前記第２電線列の前記複数の第１通信用電線とは、互いに遠い側の領域に配置されている。
本構成によれば、電線保持部材が複数の電線における隣り合う電線間の間隔を空けて並べて保持することで、電線間の間隔が大きく変わる箇所を少なくすることができる。これにより、電線のインピーダンスの変化点における信号の反射等による通信品質の低下を抑制することができる。
また、電線保持部材は、第１電線列と第２電線列とを並列に並べて保持しているため、スペースを有効に利用でき、通信用コネクタを小型化することができる。
本発明の通信用コネクタは、通信用の信号が伝送される複数の電線と、各前記電線に接続される複数の端子と、前記複数の端子を収容するハウジングと、前記複数の電線における隣り合う前記電線間の間隔を空けて並べて保持する電線保持部材と、を備え、前記複数の電線と当該複数の電線の周りに充填される充填部材と前記充填部材を包囲するシールド層とを有するシールド電線を備え、前記電線保持部材は、前記充填部材の端部から露出した前記複数の電線を保持するとともに、前記充填部材の端部に差し込む差込突部を備えている。
本構成によれば、電線保持部材が複数の電線における隣り合う電線間の間隔を空けて並べて保持することで、電線間の間隔が大きく変わる箇所を少なくすることができる。これにより、電線のインピーダンスの変化点における信号の反射等による通信品質の低下を抑制することができる。
また、差込突部を充填部材の端部に差し込むことで、シールド電線に対して電線保持部材の位置を保持することが可能になる。
【０００８】
本発明の本発明の実施態様としては以下の態様としてもよい。
・前記電線保持部材は、前記各電線を挟んで保持する複数の溝部を備えている。
このようにすれば、電線を保持する構成を簡素化しつつ、電線の取付作業を容易に行うことができる。
【０００９】
・前記ハウジングを覆う本体と前記電線保持部材側に延びる延出部とを有するシールドケースを備え、前記電線保持部材は、前記延出部に係合して前記シールドケースに対する移動方向を規制する規制部を備えている。
このようにすれば、規制部によりシールドケースに対する電線保持部材の移動方向を規制することで、電線保持部材を所定の位置に保持することが容易になる。
【００１１】
・前記電線が挿通される電線挿通孔が貫通形成された一対の前記電線保持部材を備え、前記電線保持部材には、前記電線挿通孔の軸方向に対する側方から前記電線を通すことが可能な通し溝が形成されている。
このようにすれば、電線挿通孔の軸方向に対する側方から通し溝を通して電線挿通孔に挿通した電線を一対の電線保持部材が保持することができるため、例えば、一対の電線保持部材に電線を保持させた状態で、被覆電線の被覆の除去作業や、電線のハウジングへの取付作業を行うことが容易になり、組み付けの作業性を向上させることが可能になる。
【００１３】
・前記電線保持部材は、前記第１通信用電線と前記第１通信用電線との間、又は、前記第１通信用電線と前記電源線との間を仕切る仕切り部を備える。
【００１４】
・前記ハウジングは、各前記端子が収容される複数のキャビティを備え、通信用コネクタは車両に搭載されるものである。
通信用コネクタを車両に搭載した場合に、車両の振動により電線間の間隔がずれて通信品質の低下等の不具合が懸念される。上記構成のように、電線保持部材が隣り合う電線間の間隔を空けて並べて保持することにより、車両の振動等が生じたとしても電線間の間隔が保持されるため、車両の振動による通信品質の低下等の不具合を抑制することができる。
【図面の簡単な説明】
【００１５】
【図１】実施形態１の通信用コネクタを示す斜視図
【図２】第２シールドケースを外した状態の通信用コネクタを示す斜視図
【図３】第２シールドケースを外した状態の通信用コネクタを示す平面図
【図４】第２シールドケース及びシールド電線を外した状態の通信用コネクタを示す斜視図
【図５】第２シールドケース及びシールド電線を外した状態の通信用コネクタを示す平面図
【図６】図５のＡ−Ａ断面図
【図７】第２シールドケース及びシールド電線を外した状態の通信用コネクタを示す側面図
【図８】図７のＢ−Ｂ断面図
【図９】第２シールドケース及びシールド電線を外した状態の通信用コネクタを示す背面図
【図１０】第１シールドケースにハウジング及び端子が装着された状態を示す斜視図
【図１１】第１シールドケースにハウジング及び端子が装着された状態を示す背面図
【図１２】電線保持部材を示す斜視図
【図１３】電線保持部材を示す底面図
【図１４】電線保持部材を示す正面図
【図１５】電線保持部材を示す左側面図
【図１６】電線保持部材を示す背面図
【図１７】実施形態２の通信用コネクタを示す斜視図
【図１８】第２シールドケースを外した状態の通信用コネクタを示す斜視図
【図１９】第２シールドケース及びシールド電線を外した状態の通信用コネクタを示す斜視図
【図２０】シールド電線の端末部の充填部材に電線保持部材の差込突部が差し込まれた状態を示す斜視図
【図２１】シールド電線の端末部の充填部材に電線保持部材の差込突部が差し込まれた状態を示す平面図
【図２２】シールド電線の端末部の充填部材に電線保持部材の差込突部が差し込まれた状態を示す右側面図
【図２３】図２２のＣ−Ｃ断面図
【図２４】電線保持部材を示す斜視図
【図２５】電線保持部材を示す平面図
【図２６】電線保持部材を示す正面図
【図２７】電線保持部材を示す右側面図
【図２８】電線保持部材を示す背面図
【図２９】実施形態３の通信用コネクタを示す斜視図
【図３０】第２シールドケースを外した状態の通信用コネクタを示す斜視図
【図３１】第２シールドケースを外した状態の通信用コネクタを示す平面図
【図３２】図３１のＤ−Ｄ断面図
【図３３】第２シールドケースを外した状態の通信用コネクタを示す右側面図
【図３４】第１シールドケースにハウジング及び端子が装着された状態を示す斜視図
【図３５】第１シールドケースにハウジング及び端子が装着された状態を示す背面図
【図３６】電線保持部材を示す斜視図
【図３７】電線保持部材を示す正面図
【図３８】電線保持部材を示す背面図
【図３９】第２シールドケース及び電線保持部材を外した状態の通信用コネクタを示す斜視図
【図４０】第２シールドケース及び電線保持部材を外した状態の通信用コネクタを示す平面図
【発明を実施するための形態】
【００１６】
＜実施形態１＞
実施形態１について、図１〜図１６を参照して説明する。通信用コネクタ１０は、例えば電気自動車やハイブリット自動車等の車両に搭載され、例えば車両内における車載電装品（ナビ、ＥＴＣ、モニタ等）と外部機器（カメラ等）との間や、車載電装品間の有線の通信経路に配される。以下では、前後方向（Ｚ軸）については、図３の左方を前方、右方を後方とし、左右方向（Ｘ軸）については、図３の上方を左方、下方を右方とし、上下方向（Ｙ軸）については、図７の方向を基準として説明する。
【００１７】
（通信用コネクタ１０）
実施形態１の通信用コネクタ１０は、図１，図２に示すように、複数の電線１２〜１５を有するシールド電線１１と、各電線１２〜１５の端末部に接続された複数の端子２０と、複数の端子２０を収容するハウジング３０と、ハウジング３０の後方に配された電線保持部材４０と、ハウジング３０及び電線保持部材４０を覆うシールドケース６０とを備えている。
【００１８】
（シールド電線１１）
シールド電線１１は、1GHz以上の高速の通信が可能な電線であって、通信用の信号が伝送される電線１２〜１５（本実施形態では１０本）と、電線１２〜１５を一括して包囲するシールド層１６（図２３参照）と、電線１２〜１５とシールド層１６との間に充填される充填部材１７と、シールド層１６の外周を覆う絶縁被覆１８とを備えている。
【００１９】
電線１２は、第１通信用電線として２組の高速線対（シールドとドレイン線付の差動ペア・ケーブル）の電線１２Ａ〜１２Ｃであり、本実施形態ではＵＳＢ(Universal Serial Bus)３．０規格の電線である。電線１３は、第１通信用電線よりもデータの最大転送速度が低い第２通信用として電線１２Ａ〜１２Ｃとは種類が異なる１組の対（シールドなしのツイスト・ペア・ケーブル）の電線１３Ａ，１３Ｂであり、本実施形態ではＵＳＢ２．０規格の電線である。電線１４は、電源に接続される１本の電源線であり、電線１５は、グランドに接続される１本のグランド線である。  
【００２０】
各電線１２〜１５は、金属線からなる導体部を、絶縁性の合成樹脂からなる絶縁層で被覆したものであり、電線の種類に応じて太さ（外径）が異なっている。シールド層１６は、金属細線を編み込んで構成された編組線である。充填部材１７は、例えば、絶縁性の糸や紙テープ等を電線１２〜１５とシールド層１６との間に詰め込んで形成されており、電線１２〜１５とシールド層１６との間の隙間を埋めて電線１２〜１５の位置を保持し、電線１２〜１５の撓み等の変形を抑制する。絶縁被覆１８は、絶縁性の合成樹脂からなる。
【００２１】
電線１２〜１５は、５本横１列に並べられた第１電線列１９Ａと、第１電線列１９Ａの下方に並列に、５本横一列に並べられた第２電線列１９Ｂとからなる。シールド電線１１における充填部材１７の端面（端部）から露出する１０本の電線１２〜１５の端末部（先端部）は、絶縁層が剥ぎ取られ、端子２０と接続される導体部が露出している。
【００２２】
（端子２０）
端子２０は、図４に示すように、前方側が角筒状の端子接続部２１とされ、端子接続部２１の後方側に電線１２〜１５の導体部に接続される電線接続部２２が一体に形成されている。端子接続部２１には、相手側の雄端子に接続される弾性接触片（図示しない）が設けられている。電線接続部２２は、板状の底板と、底板の両側縁のそれぞれから折り返し状に延びる一対のバレル片を有する。電線１２〜１５の端末部から露出した導体部は、例えば、底板への半田付けや溶接等により、電線接続部２２と電気的に接続される。
【００２３】
（ハウジング３０）
ハウジング３０は、絶縁性の合成樹脂製であって、図１０に示すように、各端子２０の端子接続部２１を収容する本体３１と、本体３１の後方に本体３１の上面側及び下面側を切り欠いた形状で後方に延びるハウジング延出部３５とを備える。本体３１は、直方体状であって、端子２０が収容されるキャビティ３２が左右に５個、上下２段に並んで配置されている。各キャビティ３２は、断面が矩形状であって、端子接続部２１の長さに応じて前後方向に延びている。キャビティ３２の前端部には、端子２０の前方への移動を規制する前止まり壁（図示しない）が形成されている。キャビティ３２の内壁には、端子接続部２１に係止して端子２０の後方側への抜けを規制する撓み変形可能なランス（図示しない）が前方側に片持ち状に延びている。
【００２４】
ハウジング延出部３５は、本体３１の後端における上下方向の中間部から板状に後方に延びており、各端子２０の電線接続部２２を載置可能に並んだ複数の溝状の載置部３６を有する。載置部３６は、ハウジング延出部３５の上面と底面３６Ａのそれぞれに端子２０の数に応じて左右に並んで形成されており、端子２０の底板が載置される底面３６Ａと、底面３６Ａの両側縁から起立する溝壁３６Ｂを有する。底面３６Ａは、中間側が低くなるようにわずかに湾曲している。溝壁３６Ｂは、前方側に向けて底面３６Ａを狭くするように傾斜してキャビティ３２に連なっている。
【００２５】
（電線保持部材４０）
電線保持部材４０は、合成樹脂製であって、ハウジング延出部３５の後端から間隔（隙間）を空けた位置に配置されており、図１２，図１４に示すように、複数の電線１２〜１５を並べて保持する電線保持部４１と、電線保持部４１の後方に一体に連なり、上下の電線列１９Ａ，１９Ｂを仕切る板状部４７（「仕切り部」の一例）と、板状部４７の上下に起立する起立壁４８，４９と、電線保持部４１の両端部から前方に突出してシールドケース６０に対する前後方向以外の移動を規制する規制部５１とを備える。
【００２６】
電線保持部４１は、上面側及び下面側のそれぞれに複数の保持突部４２が左右に間隔を空けて一列に並んで突出している。隣り合う保持突部４２の間は、電線１２〜１５を挟んで保持する溝部４３とされている。溝部４３は、隣り合う保持突部４２の側面である一対の溝壁部４４と、一対の溝壁部４４の奥端側を連ねる円弧状の電線収容部４５とを有する。保持突部４２には、一対の溝壁部４４に連なる位置に、電線１２〜１５の挿入を案内する一対のガイド部４２Ａが保持突部４２の先端側を切り欠いた傾斜面として形成されている。
【００２７】
溝部４３の幅は、対応する電線１２〜１５における絶縁被覆１８を有する部分を圧入により挿通可能な寸法とされており、挿通する電線１２〜１５の太さに応じて溝部４３の幅が異なっている。溝部４３の位置（左右方向の位置）は、溝部４３に保持された左右に隣り合う電線１２〜１５間の間隔（電線の中心軸間の間隔）が全て等しい間隔となる位置に配置されている。電線収容部４５は、収容される各電線１２〜１５の外周に密着する内径で形成されている。
【００２８】
板状部４７は、左右方向に長い板状であって、上面及び下面の高さは、電線収容部４５の最も低い奥端に連なる高さとされている。板状部４７の上面側には、左端部（左右の一方の端部）から上方に起立する起立壁４８と、左右方向の中間部よりも右方側に配される起立壁４９（「仕切り部」の一例）とを備える。板状部４７の下面側には、右端部（左右の他方の端部）から下方に起立する起立壁４８と、左右方向の中間部よりも左方側に配される起立壁４９とを備える。左側（一方）の起立壁４８の外面には、係止凸部５０が突出している。係止凸部５０は、後端が段差状に突出し、前方側に傾斜面を有しており、シールドケース６０の係止孔６５の孔縁に係止する。
【００２９】
規制部５１は、前後方向に長方形の板状であって、起立壁４８の外側面に沿って電線保持部４１の前方に突出しており、起立壁４８における上下方向の中間部から前方に直線状に延びている。規制部５１の先端部は、当該先端部の外周を切り欠いて先細としたテーパ部５１Ａが形成されている。図１６に示すように、電線保持部材４０における板状部４７の上側及び下側の起立壁４８，４９間には、それぞれ３本の電線１２Ａ〜１２Ｃが間隔を空けて挿通される。これにより、上下の電線１２Ａ〜１２Ｃは、互いに対角の位置（遠い側の領域）に配置されている。
【００３０】
（シールドケース６０）
シールドケース６０は、アルミニウムやアルミニウム合金等の金属製であって、図１に示すように、ハウジング３０の本体３１を覆う第１シールドケース６１と、第１シールドケース６１の後方に配されて複数の電線１２〜１５を覆う第２シールドケース６８とを備えている。第１シールドケース６１は、図１０に示すように、ハウジング３０を包囲する角筒状のハウジング包囲部６２と、後方に延びる左右一対のシールド延出部６４（「延出部」の一例）とを備えている。ハウジング包囲部６２の左右の側面部には弾性変形可能な被係止片６３が設けられている。第１シールドケース６１の前方側からハウジング３０を挿入して嵌め入れると、被係止片６３は、ハウジング３０の側面に前方側を段差状に切り欠いて形成した係止部３３に係止する（図８参照）。
【００３１】
一対のシールド延出部６４は、ハウジング包囲部６２の側面部の後端から後方に板状に延びており、長方形状の係止孔６５が貫通形成されているとともに、第２シールドケース６８の内面に弾性的に接触する接続片６６を有する。接続片６６は、シールド延出部６４を切り欠いて弾性変形可能に形成されており、第１シールドケース６１と第２シールドケース６８を電気的に接続する。
【００３２】
一対のシールド延出部６４の内側には、角筒状の筒部６７が形成されている。筒部６７は、シールド延出部６４の前後方向の中間部に形成されており、長方形状の挿通孔６７Ａが前後方向に貫通している。ハウジング３０が第１シールドケース６１に対して正規位置に挿入された状態でハウジング延出部３５の後方に筒部６７が連なる。筒部６７は、図８に示すように、電線保持部材４０の規制部５１が挿通されることで規制部５１に係合して電線保持部４１の前後方向の以外の移動を規制する。また、規制部５１の先端がハウジング延出部３５の後端に当接して電線保持部材４０の前方への移動が規制される。ハウジング延出部３５と電線保持部材４０との間には筒部６７の長さの隙間が生じている。また、図４に示すように、電線保持部材４０の係止凸部５０が係止孔６５の孔縁に係止されることで、電線保持部材４０の後方への移動が規制される。即ち、電線保持部材４０は、ハウジング３０と第２シールドケース６８により前後方向に位置決めされる。
【００３３】
第２シールドケース６８は、アルミニウムやアルミニウム合金等の金属製であって、図１に示すように、前方側が開口した箱形の電線シールド部６９と、シールド電線１１に外嵌する円筒形状のシールド接続部７０とを備えている。電線シールド部６９は、複数の電線１２〜１５及び電線保持部材４０を包囲している。シールド接続部７０は、例えばシールド電線１１の端末部において絶縁被覆１８の外側に折り返したシールド層１６に接続される。シールド接続部７０とシールド層１６との固定は例えば溶接や圧着等により行うことができる。また、例えば、円筒形状の金属であるカラー（図示しない）とシールド接続部７０との間にシールド層１６を挟むようにしてもよい。
【００３４】
本実施形態によれば、以下の作用、効果を奏する。
電線保持部材４０が複数の電線１２〜１５における隣り合う電線１２〜１５間の間隔を空けて並べて保持することで、電線１２〜１５間の間隔が大きく変わる箇所を少なくすることができる。これにより、電線１２〜１５のインピーダンスの変化点における信号の反射等による通信品質の低下を抑制することができる。
【００３５】
また、電線保持部材４０は、各電線１２〜１５を挟んで保持する複数の溝部４３を備えている。
このようにすれば、電線１２〜１５を保持する構成を簡素化しつつ、電線１２〜１５の取付作業を容易に行うことができる。
【００３６】
また、ハウジング３０を覆う本体３１と電線保持部材４０側に延びるシールド延出部６４（延出部）とを有するシールドケース６０を備え、電線保持部材４０は、シールド延出部６４に係合してシールドケース６０に対する移動方向を規制する規制部５１を備えている。
このようにすれば、規制部５１によりシールドケース６０に対する電線保持部材４０の移動方向を規制することで、電線保持部材４０を所定の位置に保持することが容易になる。
【００３７】
また、複数の電線１２〜１５からなる第１電線列１９Ａと、複数の電線１２〜１５からなる第２電線列１９Ｂとを備え、電線保持部材４０は、第１電線列１９Ａと第２電線列１９Ｂとを並列に並べて保持している。
このようにすれば、電線保持部材４０は、第１電線列１９Ａと第２電線列１９Ｂとを並列に並べて保持しているため、スペースを有効に利用でき、通信用コネクタ１０を小型化することができる。
【００３８】
ハウジング３０は、各端子２０が収容される複数のキャビティ３２を備え、車両に搭載されるものである。
通信用コネクタ１０を車両に搭載した場合に、車両の振動により電線１２〜１５間の間隔がずれて通信品質の低下等の不具合が懸念される。上記実施形態のように、電線保持部材４０が隣り合う電線１２〜１５間の間隔を空けて電線１２〜１５を並べて保持することにより、車両の振動等が生じたとしても電線１２〜１５間の間隔が保持されるため、車両の振動による通信品質の低下等の不具合を抑制することができる。
【００３９】
＜実施形態２＞
実施形態２を図１７〜図２８を参照して説明する。
実施形態２の通信用コネクタ８０は実施形態１の電線保持部材４０の規制部５１及び第１シールドケース８２の筒部６７を設けず、電線保持部材９０の後面に山形に突出する差込突部９２を設けたものである。以下では、実施形態１と同一の構成については同一の符号を付して説明を省略する。
【００４０】
（シールドケース８１）
シールドケース８１は、アルミニウムやアルミニウム合金等の金属製であって、図１７に示すように、ハウジング３０の本体３１を覆う第１シールドケース８２と、第１シールドケース８２の後方に配されて複数の電線１２〜１５（電線は充填部材１７の端面からの長さが実施形態１よりも短い）を覆う第２シールドケース８６とを備えている。第１シールドケース８２は、図１９に示すように、ハウジング包囲部６２と、後方に延びる左右一対のシールド延出部８３とを備えている。
【００４１】
一対のシールド延出部８３は、ハウジング包囲部６２の側面部の後端から後方に板状に延びており、長方形状の係止孔８４が貫通形成されているとともに、第２シールドケース８６の内面に弾性的に接触する接続片８５を有する。接続片８５は、シールド延出部８３を切り欠いて弾性変形可能に形成されており、第１シールドケース８２と第２シールドケース８６を電気的に接続する。
【００４２】
第２シールドケース８６は、前方側が開口した箱形の電線シールド部８７と、シールド接続部７０とを備えている。電線シールド部８７は、実施形態１の電線シールド部６９よりも前後方向に短い形状であって、複数の電線１２〜１５及び電線保持部材９０を包囲している。
【００４３】
（電線保持部材９０）
電線保持部材９０は、合成樹脂製であって、ハウジング延出部３５の後端から間隔を空けて配置されており、図２４，図２８に示すように、複数の電線１２〜１５を並べて保持する電線保持部４１と、電線保持部４１の後方に一体に連なる板状部９１と、板状部９１の上下に起立する起立壁４８，９５とを備える。
【００４４】
電線保持部４１は、上面側に複数の保持突部４２が左右に間隔を空けて一列に並んで上方に突出しているとともに、下面側に複数の保持突部４２が左右に間隔を空けて一列に並んで下方に突出している。板状部９１は、起立壁４８，９５よりも後方側に山形状に突出する差込突部９２を備えている。
【００４５】
差込突部９２は、板状部９１の幅寸法（左右方向の寸法）及び厚み寸法（上下方向の寸法）を後方側が傾斜状に小さくなるように形成されており、平面視で湾曲した山形状の傾斜を有する。差込突部９２の先端部は先細のエッジ部９３とされている。差込突部９２が充填部材１７の端部に差し込まれると、図２３に示すように、エッジ部９３が充填部材１７の内部に埋設される。
【００４６】
板状部９１の幅方向の中間部には、上面側及び下面側のそれぞれに補強リブ９４が形成されている。補強リブ９４は、保持突部４２の後方からエッジ部９３まで前後方向に延びている。補強リブ９４の側方には、起立壁４９の基端部が連なっている。起立壁９５は、実施形態１の起立壁４９とは後端面が平坦面となっている点のみ異なる。
【００４７】
通信用コネクタ８０の組み付けは、例えば、第２シールドケース８６をシールド電線１１に通しておき、電線保持部材９０の差込突部９２をシールド電線１１における充填部材１７の端面に差し込む。そして、電線１２〜１５を各溝部４３に通して各電線収容部４５に収容する（図２０）。次に、ハウジング３０が嵌め入れられた第１シールドケース８２の後方から電線保持部材９０を組み付ける（図１８）。このとき、電線１２〜１５の導体部が端子２０に面する位置に配されるため、電線１２〜１５の導体部を端子２０に溶接や半田付け等で接続する。そして、第２シールドケース８６を所定の位置に被せることで通信用コネクタ８０が形成される。
【００４８】
実施形態２の通信用コネクタ８０は、複数の電線１２〜１５と当該複数の電線１２〜１５の周りに充填される充填部材１７と充填部材１７を包囲するシールド層１６とを有するシールド電線１１を備え、電線保持部材９０は、充填部材１７の端部から露出した複数の電線１２〜１５を保持するとともに、充填部材１７の端部に差し込む差込突部９２を備えている。
このようにすれば、差込突部９２を充填部材１７の端部に差し込むことで、シールド電線１１に対して電線保持部材９０を所定の位置に保持することが可能になる。
【００４９】
＜実施形態３＞
実施形態３を図２９〜図４０を参照して説明する。
実施形態３の通信用コネクタ１００は、一対の電線保持部材１４０Ａ，１４０Ｂに電線１２〜１５が保持されるものである。以下では、上記実施形態と同一の構成については同一の符号を付して説明を省略する。
【００５０】
（通信用コネクタ１００）
通信用コネクタ１００は、図２９，図３０に示すように、複数の電線１２〜１５を有するシールド電線１０１と、各電線１２〜１５の端末部に接続された複数の端子１２０と、複数の端子１２０を収容するハウジング１２３と、ハウジング１２３の後方に配された一対の電線保持部材１４０Ａ，１４０Ｂと、ハウジング１２３及び一対の電線保持部材１４０Ａ，１４０Ｂを覆うシールドケース１３０とを備えている。
【００５１】
シールド電線１０１は、1GHz以上の高速の通信が可能な電線であって、１０本の電線１２〜１５と、３本の電線１２Ａ〜１２Ｃを一括して筒状に包囲するシールド筒部１０２と、充填部材１７（図２３参照）と、シールド層１６と、絶縁被覆１８と、を備えている。シールド電線１０１の端末部では、充填部材１７及び絶縁被覆１８が除去されて電線１２〜１５が露出している。シールド筒部１０２は電線１２Ａ〜１２Ｃのシールドであり、本実施形態では、充填部材１７及び絶縁被覆１８の端末から所定の長さで前方に延出されている。
【００５２】
端子１２０は、図３４に示すように、前方側が角筒状の端子接続部２１とされ、端子接続部２１の後方側に電線１２〜１５から露出した導体部に接続される板状の電線接続部１２２が一体に形成されている。電線１２〜１５の導体部は、電線接続部１２２に例えば半田付けや溶接等により接続されている。
【００５３】
ハウジング１２３は、絶縁性の合成樹脂製であって、各端子１２０の端子接続部２１が収容される本体３１と、本体３１の後方に本体３１よりも上下方向の厚み寸法を小さくして延びる延出部１２４とを備える。延出部１２４は、本体３１の後端における上下方向の中間部から板状に後方に延びており、各端子１２０の電線接続部１２２を載置可能に並んだ複数の載置部１２５を有する。載置部１２５は、底の浅い溝状であって、底面と、底面の両側縁から起立する溝壁を有する。載置部１２５は、延出部１２４の上面と底面のそれぞれに端子１２０の数に応じて左右に並んで形成されている。
【００５４】
シールドケース１３０は、図２９に示すように、ハウジング１２３の本体３１を覆う第１シールドケース１３１と、第１シールドケース１３１の後方に配されて複数の電線１２〜１５を覆う第２シールドケース１３４とを備えている。第２シールドケース１３４は、前方側が開口した箱形の電線シールド部１３５と、シールド接続部７０とを備えている。
【００５５】
第１シールドケース１３１は、アルミニウムやアルミニウム合金等の金属製であって、図３０に示すように、ハウジング包囲部５２と、ハウジング包囲部５２の側壁から後方に延びるシールド延出部１３２と、を備えている。シールド延出部１３２は、ハウジング包囲部５２の側面部の後端から後方に板状に延びており、上方側及び下方側のそれぞれが切り欠かれた係止凹部１３３Ａ，１３３Ｂが上下一対形成されている。
【００５６】
図３２に示すように、一対の電線保持部材１４０Ａ，１４０Ｂは、同一形状であって、共に、左右に間隔を空けて並んだ複数の電線挿通孔１４１，１４２が前後方向に貫通形成されている。１つの電線挿通孔１４１は、シールド筒部１０２及びその内側の電線１２Ａ〜１２Ｃが一括して挿通されるものであり、左右方向に長い長円形状である。２つ並んだ電線挿通孔１４２は、電線１３〜１５が個別に収容される。各電線挿通孔１４１，１４２は、前後方向の全長に亘ってほぼ同じ断面形状とされている。
【００５７】
電線挿通孔１４１の前面側の開口には、図３７に示すように、電線１２Ａの方向を案内するガイド部１４１Ａが切り欠かれている。なお、電線保持部材１４０Ａ，１４０Ｂの前面には、肉抜き孔１４６が所定の深さで形成されている。電線挿通孔１４１，１４２の前後の孔縁には、テーパ状に切り欠かれたテーパ部１４３が形成されている。電線保持部材１４０Ａ，１４０Ｂには、電線挿通孔１４１，１４２を外部と連通する通し溝１４４が電線挿通孔１４１，１４２の軸方向（前後方向）に沿って延びている。通し溝１４４は、開口縁がテーパ状に拡径されている。電線挿通孔１４１の内壁には、シールド筒部１０２が当接又は密着した状態となる（電線保持部材１４０Ａ，１４０Ｂが導電性を有すれば電気的に接続される）。また、電線挿通孔１４２に挿通された電線１３〜１５は、各電線１３〜１５の絶縁被覆が電線挿通孔１４２の内壁に当接又は密着した状態となる。これにより、電線挿通孔１４１，１４２に挿通された電線１２〜１５は所定の位置に保持される。
【００５８】
電線保持部材１４０Ａ，１４０Ｂの側面の前端部には、ケース接続部１４５が側方に突出している。ケース接続部１４５は係止凹部１３３Ａ，１３３Ｂに係止される（電線保持部材１４０Ａ，１４０が導電性を有すれば、シールドケース１３０と電線保持部材１４０Ａ，１４０Ｂとが電気的に接続される）。一対の電線保持部材１４０Ａ，１４０Ｂは、図３２に示すように、それぞれ電線１２〜１５を保持した状態で、通し溝１４４が形成された側の面が互いに密着するように対向配置される。
【００５９】
電線保持部材１４０Ａ，１４０Ｂの材質は、例えば、導電性の樹脂や絶縁性の合成樹脂や金属とすることができる。電線保持部材１４０Ａ，１４０Ｂを導電性とすれば、シールド機能を生じさせることができる。この場合、例えば、絶縁性の樹脂の表面に金属のメッキを施してシールド性を備えるようにしたり、樹脂に金属を含有させてシールド性を備えるようにしてもよい。
【００６０】
一対の電線保持部材１４０Ａ，１４０Ｂの装着は、例えば、一対の電線保持部材１４０Ａ，１４０Ｂが電線１２〜１５を保持した状態でハウジング１２３に収容された端子１２０に接続してもよい。また、例えば、図３９の状態から一方の電線保持部材１４０Ａを端子１２０に接続された第１電線列１９Ａに上側（外側）から装着し、他方の電線保持部材１４０Ｂは、端子１２０に接続された第２電線列１９Ｂに下側（外側）から装着するようにしてもよい。なお、一対の電線保持部材１４０Ａ，１４０Ｂは、各電線１２〜１５が保持できれば、異なる形状であってもよい。
【００６１】
実施形態３によれば、通信用コネクタ１００は、電線１２〜１５が挿通される電線挿通孔１４１，１４２が貫通形成された一対の電線保持部材１４０Ａ，１４０Ｂを備え、電線保持部材１４０Ａ，１４０Ｂには、電線挿通孔１４１，１４２の軸方向に対する側方から電線１２〜１５を通すことが可能な通し溝１４４が形成されている。
【００６２】
このようにすれば、電線挿通孔１４１，１４２の軸方向に対する側方から通し溝１４４を通して電線挿通孔１４１，１４２に挿通した電線１２〜１５を一対の電線保持部材１４０Ａ，１４０Ｂが保持することができるため、例えば、電線保持部材１４０Ａ，１４０Ｂに電線１２〜１５を保持させた状態で、電線１２〜１５の被覆の除去作業や、電線１２〜１５のハウジング１２３への取付作業を行うことが容易になり、組み付けの作業性を向上させることが可能になる。
【００６３】
＜他の実施形態＞
本発明は上記記述及び図面によって説明した実施形態に限定されるものではなく、例えば次のような実施形態も本発明の技術的範囲に含まれる。
（１）電線１２〜１５の本数は、上記した本数に限られない。保持突部４２や溝部４３の数についても電線１２〜１５の本数に応じて適宜変更することができる。
【００６４】
（２）電線１２〜１５は、溝部４３に圧入することとしたが、これに限られない。例えば、電線１２〜１５と溝部の間に隙間が設けられていてもよい。また、電線１２〜１５を溝部４３に挿入する構成に限られず、例えば、電線保持部材４０に電線１２〜１５を押さえる構成を設けることで、複数の電線１２〜１５を所定の位置に保持するようにしてもよい。
（３）実施形態１では、シールド延出部６４に筒部６７を設け、電線保持部材４０の規制部５１が挿通される構成としたが、これに限られない。例えば、電線保持部材に筒部を設けてシールド延出部に筒部に挿通される構成を設けてもよい。
【符号の説明】
【００６５】
１０，８０，１００：  通信用コネクタ
１１，１０１：  シールド電線
１２〜１５：  電線
１６：  シールド層
１７：  充填部材
１８：  絶縁被覆
１９Ａ：  第１電線列
１９Ｂ：  第２電線列
２０，１２０：  端子
３０，１２３：  ハウジング
３２：  キャビティ
４０，９０，１４０Ａ，１４０Ｂ：  電線保持部材
４１，：  電線保持部
４２：  保持突部
４３：  溝部
４７，９１：  板状部（仕切り部）
４９，９５：  起立壁（仕切り部）
５１：  規制部
６０，８１，１３０：  シールドケース
６４，８３，１３２：  シールド延出部（延出部）
６７：  筒部
９２：  差込突部
９３：  エッジ部
１４１，１４２：電線挿通孔
１４４：通し溝
【図１】
0006319636.tif 000002
【図２】
0006319636.tif 000003
【図３】
0006319636.tif 000004
【図４】
0006319636.tif 000005
【図５】
0006319636.tif 000006
【図６】
0006319636.tif 000007
【図７】
0006319636.tif 000008
【図８】
0006319636.tif 000009
【図９】
0006319636.tif 000010
【図１０】
0006319636.tif 000011
【図１１】
0006319636.tif 000012
【図１２】
0006319636.tif 000013
【図１３】
0006319636.tif 000014
【図１４】
0006319636.tif 000015
【図１５】
0006319636.tif 000016
【図１６】
0006319636.tif 000017
【図１７】
0006319636.tif 000018
【図１８】
0006319636.tif 000019
【図１９】
0006319636.tif 000020
【図２０】
0006319636.tif 000021
【図２１】
0006319636.tif 000022
【図２２】
0006319636.tif 000023
【図２３】
0006319636.tif 000024
【図２４】
0006319636.tif 000025
【図２５】
0006319636.tif 000026
【図２６】
0006319636.tif 000027
【図２７】
0006319636.tif 000028
【図２８】
0006319636.tif 000029
【図２９】
0006319636.tif 000030
【図３０】
0006319636.tif 000031
【図３１】
0006319636.tif 000032
【図３２】
0006319636.tif 000033
【図３３】
0006319636.tif 000034
【図３４】
0006319636.tif 000035
【図３５】
0006319636.tif 000036
【図３６】
0006319636.tif 000037
【図３７】
0006319636.tif 000038
【図３８】
0006319636.tif 000039
【図３９】
0006319636.tif 000040
【図４０】
0006319636.tif 000041